(57)【要約】【課題】セット部内で球が３６０度どの方向にも円滑に、バランス良く回転するようにすること。【解決手段】球が回転する時の摩擦を減らすため、球の表面に半球状の凸部を設けるか、セット部内側に半球状の凸部を設ける。【選択図】　　　　　　図１
2004016756.tif 000002
【特許請求の範囲】
【請求項１】
上板（１，１Ａ，１Ｂ）と下板（２，２Ａ，２Ｂ）に３６０度自在に回転するための球（３，３Ａ，３Ｂ，３Ｃ，３Ｄ，３Ｅ，３Ｆ，３Ｇ，３Ｈ）を設けたことを特徴とする足裏マッサージ器。
【請求項２】
球（３，３Ａ，３Ｂ，３Ｃ，３Ｄ，３Ｅ，３Ｆ，３Ｇ，３Ｈ）を上板（１，１Ａ，１Ｂ）と下板（２，２Ａ，２Ｂ）で構成するセット部（６，６Ａ，６Ｂ，６Ｃ，６Ｄ，６Ｅ，６Ｆ，６Ｇ，６Ｈ）に設けたことを特徴とする請求項１記載の足裏マッサージ器。
【請求項３】
球（３，３Ａ，３Ｂ）セット部（６，６Ａ，６Ｂ）の形状の上部は、球（３，３Ａ，３Ｂ）の表面に半球状の凸部（４，４Ａ，４Ｂ）を設けた直径より狭い円形状の開口部（５，５Ａ，５Ｂ）を設け、全体は球形状を形成。このセット部（６，６Ａ，６Ｂ）に球（３，３Ａ，３Ｂ）の一部が円形状の開口部（５，５Ａ，５Ｂ）より突出して設けたことを特徴とする請求項２記載の足裏マッサージ器。
【請求項４】
球（３Ｃ，３Ｄ，３Ｅ）セット部（６Ｃ，６Ｄ，６Ｅ）の形状の上部は、球（３Ｃ，３Ｄ，３Ｅ）の表面に半球状の凸部（４Ｃ，４Ｄ，４Ｅ）を設けた直径より狭い円形状の開口部（５Ｃ，５Ｄ，５Ｅ）を設け、下部は円筒形状で形成。このセット部（６Ｃ，６Ｄ，６Ｅ）に球（３Ｃ，３Ｄ，３Ｅ）の一部が円形状の開口部（５Ｃ，５Ｄ，５Ｅ）より突出して設けたことを特徴とする請求項２記載の足裏マッサージ器。
【請求項５】
球（３Ｆ，３Ｇ，３Ｈ）セット部（６Ｆ，６Ｇ，６Ｈ）の形状の上部は、球（３Ｆ，３Ｇ，３Ｈ）の直径より狭い円形状の開口部（５Ｆ，５Ｇ，５Ｈ）を設け、全体は球形状を形成、この球形状の内側に凸部（４Ｆ，４Ｇ，４Ｈ）を設ける。このセット部（６Ｆ，６Ｇ，６Ｈ）に球（３Ｆ，３Ｇ，３Ｈ）の一部が円形状の開口部（５Ｆ，５Ｇ，５Ｈ）より突出して設けたことを特徴とする請求項２記載の足裏マッサージ器。
【発明の詳細な説明】
【０００１】
【発明の属する技術分野】
本発明は上板と下板で構成されたセット部内で、どの方向にも３６０度自在に回転する球を設けた足裏マッサージ器に関するものである。
【０００２】
【従来の技術】
従来においては、前後方向回転する電動式の回転ローラ上に足裏を乗せたり、又は円柱形の表面に、突起を設けた円柱に足裏を乗せ前後に動かしていた。
【０００３】
【発明が解決しようとする課題】
従来の電動式足裏マッサージ器にあっては、電源が必要であり、又使用場所が限定され、かつ前後方向だけしかローラは回転しなかった。又、突起を設けた円柱形の場合にあっては、畳やジュウタン等では回転しにくい場合があり、更に、フローリングやタイル等で使用する場合、床を傷つけたり、音が煩わしいという問題点があった。
【０００４】
【課題を解決するための手段】
上記問題点を解決するために、上板と下板で構成されるセット部上部表面より、球の一部が突出するよう設けられ、そして球の表面又はセット部内側に半球状凸部を設けることにより、セット部内で球はどの方向にも３６０度自在に回転、又、足裏マッサージ器全体に異なる球を設けることにより、使用時足裏の凹凸面に確実に接触する。さらに底部にクッションを設けることで、使用する場所は限定されず音が煩わしいという心配もなく、安定性や効果も期待でき、問題点を解決している。
【０００５】
【発明の実施の形態】
本発明は、上板と下板で構成されるセット部の表面円形状の開口部より、球の一部が突出し、かつ球がセット部内側で、どの方向にも３６０度自在に回転する球を設けた足裏マッサージ器。
【０００６】
また、セット部上部に設けられる円形状の開口部の直径の幅は、使用時、又は動かしたりした時、球が外部に出ない範囲で、球の直径又は球表面に凸部を設けた球の場合、凸部を含む直径より狭く設けられている。
【０００７】
そして、足裏マッサージ器に設ける球のサイズは、一種類でも良いが、使用時足裏の凹凸面に確実に接触するよう数種類設けることが好ましく、設ける位置も限定せず適宜に設けることが好ましい。
【０００８】
また、球全体の表面に適宜な数設けられる半球状の凸部は、例えば球が四角形や多角形であっても凸部全体の形状が球形状であれば良く限定するものではないが、円滑にバランス良く回転する球に設けることが好ましい。
【０００９】
そして、球を設けるセット部の形状は、上部に円形状の開口部を設けた半球状の内側に球が円滑にバランス良く回転するよう適宜なサイズと数の半球状の凸部を設けたセット部に球を設けたり、上部に円形状の開口部を設け、下部が円筒形のセット部に、球表面全体に適宜なサイズと数の半球状の凸部を設けた球を設けるか、上部に円形状の開口部を設けた半球状のセット部に球表面全体に適宜なサイズと数の半球状の凸部を設けた球をセット部に設けるとよい。尚、設ける球の一部が必ず開口部より突出して設けること。
【００１０】
また、足裏マッサージ器の上板と下板は周囲に凸、凹部を設けて固定するか、上板と下板をネジ等で固定するよう設けるとよい。そして底部周囲又は全体に床を傷つけたり、音を防止するためのクッションを設けておくとよい。
【００１１】
そして、上板、下板及び球の材料は金属や木等でも可能であるが、製造コストが安価で、さらに球が円滑にバランス良く回転するためには、セット部内での抵抗が少ないプラスチック等が好ましい。
【００１２】
上記のように構成された足裏マッサージ器にあっては、足裏を乗せ、前後左右３６０度動かせる。又、セット部内に半球状凸部を設けたり、球の表面に半球状凸部を設けることにより、セット部内側と球との摩擦が減少し球が円滑にバランス良く回転するよう設けられている。
更に全体に異なる球を設けることにより、足裏全体の凹凸面に確実に接触するため、足裏全体に適宜な刺激が得られる足裏マッサージ器である。
【００１３】
【実施例】
実施例について図面を参照して説明すると、図１においては、上板（１）に円形状の開口部（５，５Ａ，５Ｂ）を設け、表面に半球状の凸部（４，４Ａ，４Ｂ）を設けた球（３，３Ａ，３Ｂ）を設けている。
【００１４】
図２に示される実施例では、上板（１）と下板（２）で形成された半球状のセット部（６，６Ａ，６Ｂ）の上板（１）に、円形状の開口部（５，５Ａ，５Ｂ）を設け、半球状の凸部（４，４Ａ，４Ｂ）を表面に設けた球（３，３Ａ，３Ｂ）の一部が開口部（５，５Ａ，５Ｂ）より突出して設けられている。そして上板（１）と下板（２）に設けた凹部（７）と凸部（４Ｋ）で周囲を固着し、底部にクッション（８）を設けている。
【００１５】
図３に示される実施例では、上板（１）と下板（２）で形成された半球状のセット部（６，６Ａ，６Ｂ）の上板（１）に、円形状の開口部（５，５Ａ，５Ｂ）を設け、さらに半球状の凸部（４，４Ａ，４Ｂ）を表面に設けた球（３，３Ａ，３Ｂ）の一部がセット部（６，６Ａ，６Ｂ）の上部円形状の開口部（５，５Ａ，５Ｂ）より突出して設けられ、底部にクッション（８）を設けている。
【００１６】
図４に示される実施例では上板（１Ａ）と下板（２Ｂ）で形成されたセット部（６Ｃ，６Ｄ，６Ｅ）の下部が円筒形で、上部に円形状の開口部（５Ｃ，５Ｄ，５Ｅ）を設けたセット部（６Ｃ，６Ｄ，６Ｅ）に、半球状の凸部（４Ｃ，４Ｄ，４Ｅ）を表面に設けた球（３Ｃ，３Ｄ，３Ｅ）の一部が開口部（５Ｃ，５Ｄ，５Ｅ）より突出して設けられている。そして底部にクッション（８Ａ）を設けている。
【００１７】
図５に示される実施例では、上板（１Ｂ）と下板（２Ｂ）で形成される半球状のセット部（６Ｆ，６Ｇ，６Ｈ）の内側に半球状の凸部（４Ｆ，４Ｇ，４Ｈ）を設けている。そして上部には円形状の開口部（５Ｆ，５Ｇ，５Ｈ）を設けた、開口部（５Ｆ，５Ｇ，５Ｈ）より球（３Ｆ，３Ｇ，３Ｈ）の一部が突出するよう設けられ底部にクッション（８Ｂ）を設けている。
【００１８】
【発明の効果】
本発明は、以上説明したような形態で実施され、以下に記載されるような効果を奏する。
【００１９】
足裏マッサージ器に足裏を乗せた状態で、前後左右３６０度自在に動かすことができる。
【００２０】
異なるサイズの球を適宜に配置して設けることにより、足裏全体の凹凸面に確実に接触する。
【００２１】
球の表面に半球状の凸部を設けた球の場合は、更に足裏全体の凹凸面に確実に接触する。
【００２２】
電動式や、円柱形の足裏マッサージ器と異なり使用場所が限定されない。
【００２３】
足裏マッサージ器底部にクッションを設けることにより、使用時床を傷つけたり音の煩わしさを気にしなくてもよい。
【００２４】
足裏全体の凹凸面に接触することにより、確実にツボを刺激、肩こり、足のむくみ等の解消が期待できる。
【図面の簡単な説明】
【図１】足裏マッサージ器の平面図である。
【図２】図１の方向（Ａ−Ｂ）中央断面を示す実施例の断面図である。
【図３】図２の中央断面拡大を示す実施例の断面図である。
【図４】実施例を示す中央拡大断面図である。
【図５】実施例を示す中央拡大断面図である。
【符号の説明】
上板　　　　１，１Ａ，１Ｂ
下板　　　　２，２Ａ，２Ｂ
球　　　　　３，３Ａ，３Ｂ，３Ｃ，３Ｄ，３Ｅ，３Ｆ，３Ｇ，３Ｈ
凹部　　　　４，４Ａ，４Ｂ，４Ｃ，４Ｄ，４Ｅ，４Ｆ，４Ｇ，４Ｈ，４Ｋ
開口部　　　５，５Ａ，５Ｂ，５Ｃ，５Ｄ，５Ｅ，５Ｆ，５Ｇ，５Ｈ
セット部　　６，６Ａ，６Ｂ，６Ｃ，６Ｄ，６Ｅ，６Ｆ，６Ｇ，６Ｈ
凹部　　　　７
クッション　８，８Ａ，８Ｂ
方向　　　　Ａ−Ｂ
【図１】
2004016756.tif 000003
【図２】
2004016756.tif 000004
【図３】
2004016756.tif 000005
【図４】
2004016756.tif 000006
【図５】
2004016756.tif 000007